(57)【要約】【課題】  停電が頻繁に発生しても、乗りかごに閉じ込められた乗客を確実に救出するエレベーター制御装置を提供する。【解決手段】  停電が発生し、建物に設けられるエレベーター１００の乗りかご４に閉じ込められた乗客を、二次電池７を稼働して救出する救出運転装置６を備えたエレベーター制御装置において、建物に設けられるエレベーター１００を含む設備機器に対し、停電発生時に電源を供給する外部電池９を設け、停電発生時に救出運転装置６の稼働インターバルを計測する救出運転動作頻度計測装置１６Ｂと、救出運転動作頻度計測装置１６Ｂが計測した稼働インターバルが所定時間に満たないとき、救出運転装置６への電源供給を二次電池７から外部電池９に切替える電池電源切替器８と、を備えたエレベーター制御装置。【選択図】  図１
2015137148.tif 000002
【特許請求の範囲】
【請求項１】
建物に設けられるエレベーターへの電源供給が断たれ、乗りかごがドア開不能位置に停止していると、エレベーター設備に設けた二次電池によって乗りかごを最寄り階へ移動させるとともに、ドアを開放させることで前記乗りかごに閉じ込められた乗客を救出する救出運転装置を備えたエレベーター制御装置において、
当該建物に設けられる前記エレベーターを含む設備機器に対し、停電発生時に電源を供給する外部電池と、
停電発生時に前記救出運転装置の稼働インターバルを計測する救出運転動作頻度計測装置と、
この救出運転動作頻度計測装置が計測した稼働インターバルが所定時間に満たないとき、前記救出運転装置への電源供給を前記二次電池から前記外部電池に切替える電池電源切替装置と
を備えたことを特徴とするエレベーター制御装置。
【発明の詳細な説明】
【技術分野】
【０００１】
本発明は、エレベーター制御装置に係り、特に、エレベーターの救出運転に好適なエレベーター制御装置に関する。
【背景技術】
【０００２】
この種の従来技術として、蓄電池の残容量に基づいて急速充電とトリクル充電を切り替え、充電時間を短くして短時間に頻発する停電に対応するエレベーター電源制御装置が知られている(特許文献１参照)。
【先行技術文献】
【特許文献】
【０００３】
【特許文献１】特開２０１１−１２６６１７号公報
【発明の概要】
【発明が解決しようとする課題】
【０００４】
上記従来技術は、停電の発生によってエレベーターの乗りかごが走行途中で停止し、乗りかご内に閉じ込められた乗客を救出するためのエレベーター救出運転装置に用いる二次電池の充電技術を示したものである。
【０００５】
しかしながら、エレベーター救出運転装置の二次電池は、エレベーターの機械室や昇降路内に配設され、設置場所の問題によって二次電池の数も制限されるため、急速充電やトリクル充電を駆使しても停電が頻繁に発生する場合、エレベーターの救出運転に必要な電源容量を充電できず、救出運転の途中で電源が不足し、乗客を乗りかごから救出することができなくなる虞があった。
【０００６】
本発明の目的は、停電が頻繁に発生しても、乗りかごに閉じ込められた乗客を確実に救出できるエレベーター制御装置を提供することにある。
【課題を解決するための手段】
【０００７】
上記目的を達成するために、本発明は、建物に設けられるエレベーターへの電源供給が断たれ、乗りかごがドア開不能位置に停止していると、エレベーター設備に設けた二次電池によって乗りかごを最寄り階へ移動させるとともに、ドアを開放させることで前記乗りかごに閉じ込められた乗客を救出する救出運転装置を備えたエレベーター制御装置において、当該建物に設けられる前記エレベーターを含む設備機器に対し、停電発生時に電源を供給する外部電池を設け、停電発生時に前記救出運転装置の稼働インターバルを計測する救出運転動作頻度計測装置と、この救出運転動作頻度計測装置が計測した稼働インターバルが所定時間に満たないとき、前記救出運転装置への電源供給を前記二次電池から前記外部電池に切替える電池電源切替装置と、を備えたことを特徴とする。
【発明の効果】
【０００８】
本発明によれば、停電が頻発すると、停電発生時にエレベーターの乗りかご内に閉じ込められた乗客を救出する救出運転装置用の二次電池から、停電発生時の建物の設備機器に対する電源供給用の外部電池に切替えて救出運転装置を駆動するようにしたので、救出運転装置用の二次電池が充電不足であっても乗りかご内に閉じ込められた乗客を救出することができる。
【図面の簡単な説明】
【０００９】
【図１】本発明の一実施形態に係るエレベーター制御装置の構成を示すブロック図である。
【図２】本発明の一実施形態に係るエレベーター制御装置の動作を説明するフローチャートである。
【発明を実施するための形態】
【００１０】
以下、本発明に係るエレベーター制御装置の一実施形態を、図に基づいて説明する。
【００１１】
図１は本発明のー実施形態に係るエレベーター制御装置の構成を示すブロック図、図２は本発明の一実施形態に係るエレベーター制御装置の動作を説明するフローチャートである。
【００１２】
図１において、一般的にエレベーター装置１００は、商用電源である三相交流商用電源１から電源を受電する図示しない受電部と電動機３の制御を含むエレベーター制御を行う図示しないエレベーター制御装置を少なくとも有するエレベーター制御盤２と、図示しない建物に設けられる昇降路２０に配置される乗りかご４と釣合い錘５とて構成される。ここで、乗りかご４と釣合い錘５は、電動機３と同期して回転する図示しない綱車に巻き掛けられる複数本のワイヤーロープ２１の両端に、釣瓶式に取付けられている。
【００１３】
また、エレベーター制御盤２は、図示しない受電部を介して三相交流商用電源１が供給され、電動機３を正転及び逆転の制御を行い、ワイヤーロープ２１を介して乗りかご４と釣合い錘５を昇降させ、乗りかご４に乗込んだ図示しない乗客を輸送する。
【００１４】
また、停電が発生して三相交流商用電源１から図示しない受電部へ電源供給が途絶えると、走行していて停止したエレベーターの乗りかご４を、最寄階まで運転した後停止させ図示しないドアを開放し、乗りかご４内に閉じ込められた図示しない乗客を救出する停電時救出運転装置６が、エレベーター制御盤２へ接続されている。
【００１５】
ここで、三相交流商用電源１の停電検出は、エレベーター制御盤２に接続される後述する監視装置１０の停電検出部１４で検出され、監視装置１０からの停電検出信号によって停電時救出運転装置６は、電源切替器８の接続を切り替えて、停電時救出運転用蓄電池７と外部蓄電池システム９のいずれかへ接続される。
【００１６】
また、監視装置１０からの停電検出信号により、エレベーター制御盤２は停電時救出運転装置６の起動を指令し、停電時救出運転装置６は電源切替器８にて接続される停電時救出運転用蓄電池７と外部蓄電池システム９の一方から電源が供給される。
【００１７】
次に、外部蓄電池システム９は、エレベーター以外にも図示しない建物の共用部に設けられる図示しない水道設備、廊下や階段の図示しない照明設備、共用部や専有部に設けられる図示しない入退室管理装置、図示しない防犯装置等の図示しない設備機器に対しても停電時に電源を供給し、これらを稼動させるものである。
【００１８】
また、外部蓄電池システム９は、三相交流商用電源１から図示しない充電器により充電され、停電が発生すると、外部蓄電池システム９を制御する図示しない制御装置の指令により、図示しない設備機器への電源供給元を三相交流商用電源１から外部蓄電池システム９へ切替えて電源を供給する。
【００１９】
また、外部蓄電池システム９は、監視装置１０から外部蓄電池システム９を制御する図示しない制御装置へ電源供給を指令する信号が出されると、電源切替器８を介して停電時救出運転装置６へ電源を供給する。
【００２０】
次に、監視装置１０は、設備機器である例えばエレベーター装置１００の異常状況を検出し、通信回線を介して遠隔的に接続される図示しない監視センタヘ当該異常を通報するもので、エレベーター装置１００との信号の入出力を行う入出力装置１２と、この入出力装置１２の入力信号の変化を検出し、組み込まれた所定のプログラムで監視装置１０の制御を行う制御装置１３と、制御装置１３がエレベーター制御盤２の停電情報や復電情報を入出力装置１２を介して取得すると、停電時救出運転装置６を介して電源切替器８に対して電源供給先を、停電時救出運転用蓄電池７や外部蓄電池システム９への切替えを選択的に行う電源切替指令信号を出力する停電検出部１４と、制御装置１３に接続される時刻を計時する内部時計１５と、制御装置１３に接続される記憶装置１６に設けられ、停電時救出運転装置６が動作した日時を記憶する動作時刻記憶部１６Ａと、記憶装置１６に設けられ、停電時救出運転装置６を停電時救出運転用蓄電池７で動作するために設定した、停電時救出運転用蓄電池７の使用インターバル時間を記憶するインターバル時間記憶部１６Ｂとで構成される。
【００２１】
次に、本発明の一実施形態の動作の説明を図２のフローチャートを用いて説明する。
【００２２】
まず、停電が発生して三相交流商用電源１からエレベーター制御盤２へ電源供給が途絶えると、エレベーター制御盤２から停電情報が監視装置１０の入出力装置１２、制御装置１３を介して停電検出部１４に送信され、停電を検出する（ステップＳ１）。
【００２３】
次に、ステップＳ１で停電を検出した停電検出部１４は、記憶装置１６に設けられた動作時刻記憶部１６Ａより、停電時救出運転装置６が前回動作した日時を読み出し、内部時計１５との比較により現在までの経過時間を算出する。
そして停電検出部１４は、前記算出した結果と、記憶装置１６に設けられたインターバル時間記憶部１６Ｂの予め記憶している充電時間とを比較する（ステップＳ２）。
【００２４】
ステップＳ２で算出した結果が、インターバル時間記憶部１６Ｂに記憶されている時間より長い場合は、停電検出部１４から、入出力装置１２を介して電源切替指令信号を出力し、停電時救出運転装置６を介して電源切替器８を停電時救出運転用蓄電池７からの電源供給に切り替える（ステップＳ３）。
次に、ステップＳ３で停電時救出運転用蓄電池７からの給電に切り替わったら、停電時救出運転装置６により、エレベーター制御盤２を介して電動機３を正転及び逆転の救出運転制御を行い、乗りかご４を階床レベルに移動させ、乗りかご４に乗っている図示しない乗客を救出する（ステップＳ４）。
【００２５】
次に、ステップＳ４で無事に乗りかご４に乗っていた図示しない乗客を救出したら、図示しない乗りかご４の扉を閉じ、電源供給を切断して、救出運転を終了する。停電時救出運転用蓄電池７からの停電時救出運転用蓄電池７からの電力供給が不足することなく動作が完了したら、停電時救出運転装置６は、動作完了の信号を入出力装置１２を介して制御装置１３に送信し、制御装置１３が動作完了の信号を検出したら（ステップＳ５）、本発明のエレベーター制御装置の動作は終了となる。
【００２６】
一方、ステップＳ２で、記憶装置１６に設けられたインターバル時間記憶部１６Ｂの予め記憶している充電時間より算出した結果が短かっか場合、停電検出部１４は、制御装置１３、入出力装置１２、停電時救出運転装置６を介して、エレベーター制御盤２より、乗りかご４が乗りかご４の図示しない扉の開閉可能な位置に停止しているかを確認し（ステップＳ６）、乗りかご４が乗りかご４の図示しない扉の開閉可能な位置に停止している場合、停電検出部１４は、停電時救出運転用蓄電池７で乗りかご４の図示しない乗客の救出が可能と判断し、制御装置１３へ信号を送信する。制御装置１３は、入出力装置１２を介して電源切替指令信号を出力し、停電時救出運転装置６を介して電源切替器８を停電時救出運転用蓄電池７からの給電に切り替えるステップＳ３を実行する。
【００２７】
ステップＳ６で、乗りかご４が乗りかご４の図示しない扉の開閉可能な位置に停止していない場合、停電検出部１４から入出力装置１２を介して電源切替指令信号を出力し、停電時救出運転装置６を介して電源切替器８を外部蓄電池システム９からの給電に切り替える（ステップＳ７）。
【００２８】
また、ステップＳ５で、停電時救出運転用蓄電池７の電力供給不足により、救出運転が最後まで正常に動作せず、途中で停止したことを停電時救出運転装置６が検出した場合もステップＳ７に進み、停電時救出運転装置６は、電源切替器８を外部蓄電池システム９からの給電に切り替える。
【００２９】
次に、停電時救出運転装置６は、監視装置１０の入出力装置１２を介して制御装置１３に対して外部蓄電池システム９に電源供給開始の指令信号を出力する。制御装置１３が信号を受信すると、制御装置１３は、入出力装置１２を介して外部蓄電池システム９に電源供給開始の指令信号を出力し、外部蓄電池システム９が信号を受信すると、停電時救出運転装置６へ電源の供給を開始する（ステップＳ８）。
【００３０】
次に、ステップＳ８で外部蓄電池システム９から電源の供給が開始されたら、停電時救出運転装置６により、エレベーター制御盤２を介して電動機３を正転及び逆転の救出運転制御を行い、乗りかご４を階床レベルに移動させ、乗りかご４に乗込んだ図示しない乗客を救出する（ステップＳ９）。
【００３１】
次に、ステップＳ９で乗りかご４に乗込んだ図示しない乗客を救出したら、図示しない乗りかご４の扉を閉扉し、全ての動作が正常に完丁したら、停電時救出運転装置６から動作完了の信号が、入出力装置１２を介して制御装置１３に送信される。制御装置１３が信号を受信すると、制御装置１３は、入出力装置１２を介して外部蓄電池システム９に対して電源供給切断の指令信号を出力し、外部蓄電池システム９が信号を受信すると、停電時救出運転装置６へ電源の供給を切断し（ステップＳ１０ ）、本発明のエレベーター制御装置の動作は終了となる。
【００３２】
本実施形態によれば、計画停電等により、停電の発生が頻発した場合、停電時救出運転用蓄電池の充電不足により、救出運転が出来なくなる事態を回避することができ、乗客を、エレベーターかご内に閉じ込めるのを防止できるエレベーター制御装置を提供することができる。
【符号の説明】
【００３３】
１  三相交流商用電源
２  エレベーター制御盤
３  電動機
４  乗りかご
５  釣合い錘
６  停電時救出運転装置
７  停電時救出運転用蓄電池
８  電源切替器
９  外部蓄電池システム
１０  監視装置
１２  入出力装置
１３  制御装置
１４  停電検出部
１５  内部時計
１６  記憶装置
１６Ａ  動作時刻記憶部
１６Ｂ  インターバル時間記憶部
２０  昇降路
２１  ワイヤーロープ
１００  エレベーター装置
【図１】
2015137148.tif 000003
【図２】
2015137148.tif 000004